(57)【要約】【課題】先行技術では、先端のブラシが軸方向に長いため、使用者が手前と奥とを往復させて操作する場合には清掃効率が低下し、または使用者が左右に往復させて操作する場合には管部分がたわんで不安定になりまた操作性も低下していた。【解決手段】  手元操作部１２または延長管１３の他端側に接続可能な吸込具１００を備え、吸込具１００は、手元操作部１２または延長管１３の他端側に接続可能な回動接続部２００および接続管３００と接続管３００に接続可能な略Ｔ字形状の回動接続部４００とを備え、吸込具は、回動接続部２００および回動接続部４００により屈曲可能である。【選択図】  図１０
2010252999.tif 000002
【特許請求の範囲】
【請求項１】
電動送風機及び集塵部を有する掃除機本体と、一端が前記掃除機本体に接続可能なホースと、一端が前記ホースの他端に接続可能な手元操作部と、一端が該手元操作部の他端に接続可能な延長管と、前記延長管の他端に接続可能な略Ｔ字形状の第１の吸口体と備えた電気掃除機において、
前記手元操作部または前記延長管の他端側に接続可能な吸込具を備え、
前記吸込具は、前記手元操作部または前記延長管の他端側に接続可能な接続管と前記接続管に接続可能な略Ｔ字形状の第２の吸口体とを備え、
前記吸込具は、複数の関節機構により屈曲可能であることを特徴とする電気掃除機。
【請求項２】
請求項１の電気掃除機において、
前記第２の吸口体の吸口形成部の長手方向の幅は、前記第１の吸口体の吸口形成部の長手方向の幅よりも短いことを特徴とする電気掃除機。
【請求項３】
請求項１または２の電気掃除機において、
前記第２の吸口体の吸口の周囲に毛を備えることを特徴とする電気掃除機。
【請求項４】
請求項１から３の何れかの電気掃除機において、
前記接続管は、１以上の関節機構を有し、
前記第２の吸口体は、２以上の関節機構を有することを特徴とする電気掃除機。
【請求項５】
請求項１から４の何れかの電気掃除機において、
前記第２の吸口体は、前記第２の吸口体が略Ｔ字形状となる第１の位置と前記第２の吸口体が略Ｉ字形状となる第２の位置との間を軸方向とは異なる方向に回動可能な関節機構を有することを特徴とする電気掃除機。
【請求項６】
請求項１から５の何れかの電気掃除機において、
前記第２の吸口体の吸口形成部の短手方向の幅は、前記接続管の幅と略同等または短いことを特徴とする電気掃除機。
【請求項７】
請求項１から６の何れかの電気掃除機において、
前記接続管は、前記第２の吸口体に接続可能な開口端が細まって、すきま用吸口を形成し、
前記すきま用吸口を形成する前記接続管の開口端が前記第２の吸口体の接続側開口端に挿入されることによって、前記接続管と前記第２の吸口体とが接続されることを特徴とする電気掃除機。
【請求項８】
電動送風機及び集塵部を有する掃除機本体と、一端が前記掃除機本体に接続可能なホースと、一端が前記ホースの他端に接続可能な手元操作部と、一端が該手元操作部の他端に接続可能な延長管と、前記延長管の他端に接続可能な略Ｔ字形状の第１の吸口体と備えた電気掃除機において、
前記手元操作部または前記延長管の他端側に接続可能、または前記手元操作部または前記延長管の他端側に前記延長管とは異なる接続管を介して接続可能な略Ｔ字形状の第２の吸口体を備え、
前記第２の吸口体は、複数の間接機構により屈曲可能であることを特徴とする電気掃除機。
【請求項９】
請求項８の電気掃除機において、
前記第２の吸口体は、前記手元操作部または前記延長管または前記接続管に接続可能な第１の継手管と、前記第１の継手管に軸方向に回動可能に接続される第２の継手管と、前記第２の継手管に軸方向に回動可能にかつ前記第２の吸口体が略Ｔ字形状となる第１の位置と前記第２の吸口体が略Ｉ字形状となる第２の位置との間を軸方向とは異なる方向に回動可能に接続される吸口形成部とを備えることを特徴とする電気掃除機。
【請求項１０】
請求項９の電気掃除機において、
前記第２の継手管に軸方向に回動可能に接続され、前記吸口形成部に軸方向とは異なる方向に回動可能に接続される継手部材を備えることを特徴とする電気掃除機。
【請求項１１】
請求項８から１０の何れかの電気掃除機において、
前記第２の吸口体の吸口形成部の短手方向の幅は、前記第１の継手管の幅または前記第２の継手管の幅と略同等または短いことを特徴とする電気掃除機。
【請求項１２】
請求項８から１１の何れかの電気掃除機において、
前記第２の吸口体の吸口形成部の長手方向の幅の１／２は、前記第２の継手管と前記吸口形成部との間の回動軸から前記第１の継手管と前記第２の継手管との間の回動軸までの距離よりも短く、または、前記第２の継手管の軸方向の長さよりも短いことを特徴とする電気掃除機。
【請求項１３】
請求項８から１１の何れかの電気掃除機において、
前記第２の吸口体の吸口形成部と前記第２の継手管との接続部から前記吸口形成部の長手方向の端部までの距離は、前記第２の吸口体の吸口形成部と前記第２の継手管との接続部から前記第１の継手管と前記第２の継手管との接続部までの距離よりも短いことを特徴とする電気掃除機。
【請求項１４】
請求項８から１３の何れかの電気掃除機において、
前記第２の吸口体の吸口形成部の吸口面と反対側の上面は、前記吸口面を基準として、前記第２の吸口体の吸口形成部の長手方向の端部から前記第２の継手管との接続部へ向かって傾斜しており、
前記第２の吸口体の吸口形成部の上面と前記第２の継手管の下面とは対向し、かつその間の距離は５ｍｍ以内であることを特徴とする電気掃除機。
【請求項１５】
請求項１４の電気掃除機において、
前記第２の吸口体の吸口形成部の吸口面と前記第１の継手管の軸方向とが略平行である状態において、前記第２の継手管の軸方向は、前記第１の継手管の軸方向に対して上向きに傾斜することを特徴とする電気掃除機。
【請求項１６】
電動送風機及び集塵部を有する掃除機本体と、一端が前記掃除機本体に接続可能なホースと、一端が前記ホースの他端に接続可能な手元操作部と、一端が該手元操作部の他端に接続可能な延長管と、前記延長管の他端に接続可能な第１の吸口体と備えた電気掃除機において、
前記手元操作部または前記延長管の他端側に接続可能、または前記手元操作部または前記延長管の他端側に前記延長管とは異なる接続管を介して接続可能な第２の吸口体を備え、
前記接続管は、前記第２の吸口体に接続可能な開口端が細まって、すきま用吸口を形成し、
前記すきま用吸口を形成する前記接続管の開口端が前記第２の吸口体の接続側開口端内に挿入されることによって、前記接続管と前記第２の吸口体とが接続され、
前記第２の吸口体の接続側開口端が前記手元操作部または前記延長管の他端側の開口内に挿入されることによって、前記手元操作部または前記延長管と前記第２の吸口体とが接続されることを特徴とする電気掃除機。
【請求項１７】
請求項１５の電気掃除機において、
前記第２の吸口体の接続側開口端の内面は、前記すきま用吸口を形成する前記接続管の開口端の外面に対応した形状を有し、
前記第２の吸口体の接続側開口端の外面は、前記手元操作部または前記延長管の他端側の開口の内面に対応した形状を有することを特徴とする電気掃除機。
【請求項１８】
請求項１５の電気掃除機において、
前記第２の吸口体の接続側開口端の内面に、前記すきま用吸口を形成する前記接続管の開口端の外面に形成された突起に係合可能な穴を備え、
前記第２の吸口体の接続側開口端の外面に、前記手元操作部または前記延長管の他端側の開口の内面に当接可能な外形を有する係合部を備えることを特徴とする電気掃除機。
【請求項１９】
電動送風機及び集塵部を有する掃除機本体と、一端が前記掃除機本体に接続可能なホースと、一端が前記ホースの他端に接続可能な手元操作部と、一端が該手元操作部の他端に接続可能な延長管と、前記延長管の他端に接続可能な略Ｔ字形状の第１の吸口体と備えた電気掃除機において、
前記手元操作部または前記延長管の他端側に接続可能、または前記手元操作部または前記延長管の他端側に前記延長管とは異なる接続管を介して接続可能な略Ｔ字形状の第２の吸口体を備え、
前記第２の吸口体の吸口形成部の長手方向の幅は、前記第１の吸口体の長手方向の幅よりも短く、
前記第２の吸口体の吸口形成部の短手方向の幅は、前記手元操作部または前記延長管の他端側に接続可能、または前記手元操作部または前記延長管の他端側に前記延長管とは異なる接続管を介して接続可能な継手管の幅と略同等または短いことを特徴とする電気掃除機。
【請求項２０】
請求項１５の電気掃除機において、
前記第２の吸口体は、前記吸口形成部が前記継手管に対して回動することによって、略Ｉ字形状となることを特徴とする電気掃除機。
【発明の詳細な説明】
【技術分野】
【０００１】
本発明は電気掃除機に係り、特に、床用の略Ｔ字形状の吸口以外に、もう一つの略Ｔ字形状の吸口を備える電気掃除機に関する。
【背景技術】
【０００２】
従来の電気掃除機は、例えば特許文献１（特開２０００−３００４８４号公報）に開示されているように、グリップ部と延長パイプの間に延長パイプ折曲用アタッチメントを設けている。この折曲用アタッチメントは、Ｌ字状の２本のエルボパイプから構成され、この２本のエルボパイプを回動可能に接続している。そして、このエルボパイプを回動させることにより、ベッドやテーブルの下、あるいはエアコンなどの上部の掃除を行うようにしている。
【０００３】
また、特許文献２（特開２００２−２５３４５６号公報）に開示されているように、上延長管と下延長管との間に回動可能な関節部を設け、ソファやベッドの下などの掃除を行うようにした電気掃除機が提案されている。
【０００４】
また、特許文献３（特開２００７−４４２６７号公報）に開示されているように、吸込口部に連結部を介して接続管を接続し、連結部の回動軸を中心にし接続管を吸込口部の吸込口側まで回動させ、エアコンや家具の上などの掃除を行うようにした電気掃除機が提案されている。
【０００５】
また、特許文献４（特開２００９−６６３３２号公報）に開示されているように、延長管にフック体を用いて伸縮可能な付属吸込み具を取り付けるようにした電気掃除機が提案されている。
【０００６】
また、非特許文献４（日立アプライアンス株式会社、２００９年３月発行「ＨＩＴＡＣＨＩ、クリーナー、総合カタログ、２００９−３」、４−６ページ）に開示されているように、２つの関節を備え、その１つの関節の間の管が伸縮可能で、先端にブラシを有する付属吸口を備えた掃除機が提案されている。この付属吸口は、使用時には、床用吸口の代わりに、延長管の先端に接続され、高い棚や冷蔵庫の上のホコリを掃除でき、収納時には、延長管の側面に係合できる。
【先行技術文献】
【特許文献】
【０００７】
【特許文献１】特開２０００−３００４８４号公報
【特許文献２】特開２００２−２５３４５６号公報
【特許文献３】特開２００７−４４２６７号公報
【特許文献４】特開２００９−６６３３２号公報
【非特許文献】
【０００８】
【非特許文献１】日立アプライアンス株式会社、２００９年３月発行「ＨＩＴＡＣＨＩ、クリーナー、総合カタログ、２００９−３」、４−６ページ
【発明の概要】
【発明が解決しようとする課題】
【０００９】
しかしながら、上記特許文献１に記載の電気掃除機においては、回動部としての延長パイプ折曲用アタッチメントは、グリップ部と延長パイプの間にのみあるので、高所を掃除するにあたっては重い延長パイプと床用吸込具を高所の上面と同じ高さまで持ち上げる必要があり、また操作ハンドル位置も高いため、腕を上げながらの掃除を強いられ、身体的負担が大きい。また、床用吸込具に代えて簡単なブラシ付き吸込具にした場合、ブラシ面を高所の上面に押し付けるようにするため、延長管及び操作ハンドルはさらに高い位置に持ち上げながら掃除しなければならないという問題がある。
【００１０】
また、上記特許文献２に記載の電気掃除機においても、上延長管と下延長管との間に回動可能な関節部を設けているので、高所を掃除するにあたっては重い延長管と床用吸込具を高所の上面と同じ高さまで持ち上げる必要があり、腕を上げながらの掃除を強いられ、身体的負担が大きいものである。
【００１１】
また、上記特許文献３に記載の掃除機においては、高所掃除の場合、掃除箇所に接続管が接触するので、吸込口部の長さ分しか奥行きに対して掃除ができず、家具や冷蔵庫の天面などの奥が掃除できないものであった。
【００１２】
また、上記特許文献４に記載の電気掃除機においては、付属吸込み具に関節機構がなく、高所を掃除するのが困難であった。
【００１３】
また、上記非特許文献１に記載の掃除機においては、先端のブラシが軸方向に長いため、使用者が手前と奥とを往復させて操作する場合には清掃効率が低下し、または使用者が左右に往復させて操作する場合には管部分がたわんで不安定になりまた操作性も低下するものであった。
【００１４】
本発明の目的は、第２の吸口体での清掃効率または操作性を向上した電気掃除機を提供することにある。
【００１５】
また、本発明の目的は、第２の吸口体での清掃効率または操作性を向上しただけでなく、第２の吸口体の収納性も向上した電気掃除機を提供することにある。
【課題を解決するための手段】
【００１６】
本発明は、手元操作部または延長管の他端側に接続可能な吸込具を備え、吸込具は、手元操作部または延長管の他端側に接続可能な接続管（例えば、根元側の回動接続部および接続管）と接続管に接続可能な略Ｔ字形状の第２の吸口体（例えば、回動接続部）とを備え、吸込具は、複数の関節機構により屈曲可能にしたことを特徴とする。
【００１７】
また、本発明は、手元操作部または延長管の他端側に接続可能、または手元操作部または延長管の他端側に延長管とは異なる接続管を介して接続可能な略Ｔ字形状の第２の吸口体（例えば、回動接続部）を備え、第２の吸口体は、複数の間接機構により屈曲可能であることを特徴とする。
【００１８】
また、本発明は、手元操作部または延長管の他端側に接続可能、または手元操作部または延長管の他端側に延長管とは異なる接続管を介して接続可能な第２の吸口体（例えば、回動接続部）を備え、すきま用吸口を形成する接続管の開口端が第２の吸口体の接続側開口端内に挿入されることによって、接続管と第２の吸口体とが接続され、第２の吸口体の接続側開口端が手元操作部または延長管の他端側の開口内に挿入されることによって、手元操作部または延長管と第２の吸口体とが接続されることを特徴とする。
【００１９】
また、本発明は、手元操作部または延長管の他端側に接続可能、または手元操作部または延長管の他端側に延長管とは異なる接続管を介して接続可能な略Ｔ字形状の第２の吸口体（例えば、回動接続部）を備え、第２の吸口体の吸口形成部の長手方向の幅は、第１の吸口体の長手方向の幅よりも短く、第２の吸口体の吸口形成部の短手方向の幅は、手元操作部または延長管の他端側に接続可能、または手元操作部または延長管の他端側に延長管とは異なる接続管を介して接続可能な継手管の幅と略同等または短いことを特徴とする。
【発明の効果】
【００２０】
本発明によれば、第２の吸口体が略Ｔ字形状であるため、操作性の低下を招くことなく、清掃効率を向上できる。特に、第２の吸口体に接続される接続管を含めた吸込具が複数の関節機構を有する、高所を清掃することができ、清掃範囲を広げることができる。また、第２の吸口体が複数の関節機構を備えるため、使用者の使い勝手を向上することができる。
【００２１】
本発明によれば、第２の吸口体が手元操作部または延長管にもすきま用吸口を形成する接続管にも接続可能であるため、使用者の使い勝手を向上することができる。
【００２２】
本発明によれば、第２の吸口体の吸口形成部の短手方向の幅は、継手管の幅と略同等または短いため、第２の吸口体の略Ｉ字形状として収納する際に、収納性を向上することができる。また、収納時の安定性も向上できる。
【図面の簡単な説明】
【００２３】
【図１】本発明の一実施例に係る掃除機用アタッチメントの斜視図。
【図２】本発明の一実施例に係る手元側の回動接続部の分解図。
【図３】本発明の一実施例に係る椀形状カバーのＰ視図。
【図４】本発明の一実施例に係る接続管の斜視図。
【図５】本発明の一実施例に係る接続管の延長時斜視図。
【図６】本発明の一実施例に係る接続管のストッパー断面図。
【図７】本発明の一実施例に係る接続管のストッパー押し時断面図。
【図８】本発明の一実施例に係る先端側の回動接続部の分解図。
【図９】本発明の一実施例に係る掃除機用アタッチメントの回動及び延長時の斜視図。
【図１０】本発明の一実施例に係る高所掃除の一例図。
【図１１】本発明の一実施例に係る掃除機用アタッチメントの分離時斜視図。
【図１２】本発明の一実施例に係る掃除機用アタッチメントの分離時斜視図。（逆組）
【図１３】本発明の一実施例に係る天井掃除の一例図。
【図１４】本発明の一実施例に係る床面掃除の一例図。
【図１５】本発明の一実施例に係る電気掃除機の外観斜視図。
【図１６】本発明の一実施例に係る先端側の回動接続部の外観斜視図および横断面図。
【図１７】本発明の一実施例に係る先端側の回動接続部の横断面図。
【図１８】本発明の一実施例に係る先端側の回動接続部の外観斜視図および上断面図。
【図１９】本発明の一実施例に係る吸込具の上面図および上断面図。
【図２０】本発明の一実施例に係る吸口形成部の分離時斜視図。
【図２１】本発明の一実施例に係る先端側の回動接続部を手元操作部に接続した時の外観斜視図。
【発明を実施するための形態】
【００２４】
以下、本発明の実施例を添付の図面に基づいて説明する。
【００２５】
図１５は本発明の一実施例に係る電気掃除機の外観斜視図である。図１５において、１０は吸引力を発生させる電動送風機及び集塵部を備えた掃除機本体、１１は一端がホース継手１１ａを介して掃除機本体１０に接続されたホースであり、集塵部と連通する。１２は一端がホース１１の他端に接続され、電動送風機の入切を行うスイッチ操作部１２ａを備えた手元操作部である。１３は一端が手元操作部１２の他端に接続され伸縮可能な延長管であり、１４は延長管１３の他端に接続された吸口体であり、１５は延長管１３と吸口体１４との間または手元操作部１２と延長管１３との間に接続された吸口体である。ホース１１，手元操作部１２，延長管１３，吸口体１４，吸口体１５のそれぞれの内部には吸込み通路が形成され、吸口体１４と掃除機本体１０の集塵部とが連通する。使用者がスイッチ操作部１２ａを操作し電動送風機が運転を開始すると、吸引力が発生する。この吸引力は吸口体１４に至り、吸口体１４から吸込んだ塵埃は延長管１３，手元操作部１２，ホース１１を通り、掃除機本体１０の集塵部に集塵される。吸口体１４は、吸込流によって回転するまたは電動で回転する回転ブラシを吸口（開口）内に有し、主に床面清掃用に利用される。吸口体１５は、ブラシを吸口（開口）周囲に有し、主に家具の隙間、あるいは家具の上部やエアコンの清掃用に利用される。ただし、吸口体１５は、必須の構成ではない。
【００２６】
手元操作部１２と延長管１３、延長管１３と吸口体１４と、さらには手元操作部１２および延長管１３と吸口体１５、延長管１３および吸口体１４と吸口体１５はそれぞれ着脱自在に接続されている。木床や畳，絨毯といった掃除の場合は、手元操作部１２，延長管１３，吸口体１４を接続した状態で掃除を行う。家具の隙間、あるいは家具の上部やエアコンを掃除する場合には、手元操作部１２から延長管１３を、あるいは延長管１３から吸口体１４を取り外し、手元操作部１２あるいは延長管１３に付属の吸込具１００を接続して目的に応じた掃除を行う。以下、本実施例においては、特に家具の上部やエアコンといった高所掃除に有効な掃除機用の吸込具１００について説明するが、被清掃場所は、高所に限定されない。
【００２７】
図１は本発明の一実施例に係る掃除機用の吸込具１００の全体外観図である。掃除機用の吸込具１００は、手元操作部１２または延長管１３側（根元側）にある回動接続部２００と、中間の接続管３００と、先端側の回動接続部４００とから構成されている。中間の接続管３００は回動接続部２００と回動接続部４００との間に位置し、軸方向に伸縮可能となっている。ただし、接続管３００の伸縮は必須の構成ではなく、接続管３００は伸縮しなくてもよい。回動接続部２００および回動接続部４００は、軸方向に回動可能な関節機構を有する。回動接続部２００は１つの関節機構を有し、回動接続部４００は２つの関節機構を有するが、この数に限定されるものではない。吸口体１４を第１の吸口体とすると、回動接続部４００は第２の吸口体を形成する。吸口体１５は、吸口（開口）端にさらに延長管１３の接続部や延長管１３の接続部を接続可能であるが、吸口体１４や回動接続部４００は、吸口（開口）端に延長管１３の接続部や延長管１３の接続部を接続不可能である。
【００２８】
図２は回動接続部２００の分解斜視図である。図２に示すように手元操作部１２または延長管１３側の回動接続部２００は、手元操作部１２または延長管１３に手元操作部１２または延長管１３と連通する略円筒状の筒形状部２０５とこの筒形状部２０５の軸方向と直角方向に開いている椀形状部２０６とから成る後継手（管）２０１と、椀形状部２０６と略対称形状で対向してある椀形状カバー２０４と、接続管３００に連通する略円筒状の筒形状部２０７と筒形状部２０７の軸方向と直角方向に軸を持つ樽形状部２０８とから成る前継手（管）２０２とで構成されている。筒形状部２０７は中間の接続管３００と接続される。つまり、後継手２０１の一端が手元操作部１２または延長管１３に接続可能であり、前継手２０２の一端が接続管３００に接続可能である。そして、後継手２０１の他端と前継手２０２の他端とが回動可能に連結される。尚、筒形状部２０５の椀形状部２０６とは反対側の開口端が、手元操作部１２または延長管１３の開口端の内側に挿入され、当接することによって、椀形状部２０６が手元操作部１２または延長管１３に接続される。よって、椀形状部２０６の開口端の外側表面径が先端に向かうに従って徐々に狭くなっており、その狭くなっている途中の外側表面径が、手元操作部１２または延長管１３の開口端の内側表面径に相当（一致）するのが好ましい。
【００２９】
前継手２０２の樽形状部２０８は、後継手２０１の椀形状部２０６及び、椀形状カバー２０４の内側表面を略オフセットした形状であり、椀形状部２０６と椀形状カバー２０４に摺動可能（回動可能）に当接して組み立てられる。椀形状部２０６と椀形状カバー２０４には、それぞれ切り欠き部２０９，２１０があり、前継手２０２は切り欠き部の上端２１１と下端２１２の間を回動できる。前継手２０２と椀形状カバーの間には、回動角度位置を知らしめるノッチ感（クリック感）を発生させるノッチリング２０３を配置している。ノッチリング２０３は、円環形状で内周に回り止め突起２１３を有し、外周にはノッチ感を（クリック感）発生させるノッチ突起２１４（突起）を有し、ノッチ突起２１４は前継手２０２の樽形状部２０８の椀形状カバー２０４が当接する側の底面に設けた回り止め溝２１５に挿入してあり、前継手２０２と一緒に回動するようになっている。ただし、このような構造であるため、後継手２０１と前継手２０２との回動範囲は、３６０度ではなく、所定の範囲に限定される。
【００３０】
図３に示すように椀形状カバー２０４の内側底面には、ノッチリング２０３の外周のノッチ突起２１４を押し込み、ノッチリング２０３をたわませる略円形リブ２１６があり、この円形リブ２１６にはノッチリング２０３の外周のノッチ突起２１４を押し込まない凹み部２１７が所定の角度に形成されている。これにより後継手２０１と前継手２０２は、椀形状部２０６と樽形状部２０８の中心軸を軸として回動可能で、ノッチリング２０３はノッチ突起２１４が略円形リブ２１６の凹み部２１７内に収まっていて、前継手２０２の回動に際しノッチリング２０３は前継手２０２と一緒に回動し、ノッチ突起２１４は凹み部２１７を乗り上げてリングの半径方向にたわみ、略円形リブ２１６に当接しながら回動先の凹み部２１７へ到達し、たわみが解放されて凹み部２１７に収まり、この収まりによって回動角度位置はある程度固定されるのである。
【００３１】
本実施例においては、ノッチ突起２１４の個数は２個で、凹み部２１７の箇所は２箇所であるが、本構成に限定されるものではない。ノッチリング２０３の設置については、本事例とは逆にノッチリング２０３を挿入する溝２１５を椀形状カバー２０４に、ノッチリング２０３をたわませる円形リブ２１６を前継手２０２に形成してもよい。また、ノッチリング２０３は、後継手２０１と前継手２０２が当接する側にあってもよく、さらに、両側に設けて２個使いとすれば、それぞれのノッチリングに掛かるたわみ力を分散できて、信頼性を向上することができる。ノッチ感を発生させる方法は、本事例の方法に限定されるものではなく、例えばリングの代わりにコイルバネを、ノッチ突起の代わりに鋼球を使用すれば、同様の効果を得られるのである。
【００３２】
後継手２０１の筒形状部２０５には手元操作部１１の接続部または延長管１３が接続可能となっており、手元操作部１１または延長管１３に設けられた着脱用クランプの抜け止め用の爪（図示せず）を受ける凹み部２１８が筒形状部２０５の椀形状部２０６側の外側表面にある。また前継手２０２の筒形状部２０７には接続管３００が接続部３０５によって接続可能となっており、接続管の抜け止め用突起３０５を受ける円周方向に延びる２つの穴部２１９がある。
【００３３】
図４，図５に示すように接続管３００は、中空の鞘体３０１（外管）に中空のブレード体３０２（内管）が伸縮自在に収められている。鞘体３０１の接続部３０５の断面形状は略円形状であり、鞘体３０１の接続部３０５以外の断面形状は略角形状である。ブレード体３０２の外側下面には等間隔で凹み部３０９が形成されている。鞘体３０１のブレード体３０２が伸縮出入りする側の端部には、ストッパー３０３が軸３０４で半径方向に回動自在に備えられている。鞘体３０１の他端側（接続部３０５）の外周には、抜け止め突起３０５が形成され、ブレード体３０２の先端部の両側面にも、軸方向に垂直な方向に延びる抜け止め突起３０６が形成されている。抜け止め突起３０６は、両側面のそれぞれに、軸方向にすらして２個づつ形成される。抜け止め突起３０６は、両側面のそれぞれに、１個でもよいし、３個以上でもよい。ブレード体３０２の先端部は、短手方向の幅が吸込具１００で最も狭くなっており、先端部から他端側下方に向かって傾斜するように（テーパ状に）形成されているため、手元操作部１２あるいは延長管１３に接続管３００を接続した状態で、隙間等の掃除を行うことができる。つまり、ブレード体３０２の先端部は、すきま用吸口（ノズル）を形成する。また、このブレード体３０２の先端部は回動接続部４００との接続部となっており、この接続部に回動接続部４００と接続した時の抜け止め突起３０６が形成されている。本実施例のように、使用者が、接続管３００と回動接続部２００とを容易に分離可能であることが好ましいが、使用者が、接続管３００と回動接続部２００とを容易に分離不可能な接続構造であってもよい。
【００３４】
図６，図７にストッパー３０３の構成を示す。図６，図７に示すようにストッパー３０３は、バネ等の弾性体３０７により爪部３０８がブレード体３０２の外表面に形成された複数の凹み部３０９に嵌まる方向に付勢されており、ブレード体３０２の伸縮位置を固定する。弾性体３０７の付勢に抗して使用者が指でストッパー３０３を押している間は、爪部３０８がブレード体３０２の凹み部３０９から離れるので、ブレード体３０２の伸縮を自由に行うことができる。
【００３５】
図８に回動接続部４００の構成を示す。図１６（Ａ）に、略Ｔ字形状時の回動接続部４００の外観斜視図を示し、図１６（Ｂ）に図１６（Ａ）のＡ−Ａ断面の横断面図を示す。図１７に、略Ｔ字形状時の回動接続部４００の図１６（Ａ）のＡ−Ａ断面の横断面図を示す。図１８（Ａ）に、略Ｔ字形状時の回動接続部４００の外観斜視図を示し、図１８（Ｂ）に図１８（Ａ）のＢ−Ｂ断面の横断面図を示す。図８に示すように先端側の回動接続部４００は、接続管３００のブレード体３０２の先端部（接続部）を受け入れる筒形状部４０６と、横断面が略円形の回動ベース部４０７とから成る後継手（管）４０１と、横断面が略円形の回動部４０８と筒形状部４０９とから成る前継手（管）４０２と、前継手４０２の回動部４０８と対向してある回動カバー４０５と、蓋体４０４と、前継手４０２の軸突起４２７を軸支する連結穴４２３にて連結される回動軸体（継手部材）４２４と、回動軸体４２４と連結する回動突起４２５を設けた吸口形成部４２６とから構成されている。前継手４０２の回動部４０８と回動カバー４０５は、後継手４０１の回動ベース部４０７を覆うように、且つ回動ベース部４０７に対し摺動可能に組み立てられる。前継手４０２の回動部４０８と反対側の端部の両側面に、円柱状の軸突起４２７を備え、さらに、軸突起４２７の上側に円柱状の摺動突起４２８を備える。
【００３６】
前継手４０２の回動部４０８と回動カバー４０５には、それぞれ切り欠き部４１０，４１１があり、前継手４０２は切り欠き部の上端部４１２と下端部４１３が後継手４０１に突き当たるまでの間を回動できる。回動ベース部４０７と回動部４０８の接続間には、回動角度位置を知らしめるノッチ感を発生させるノッチリング４０３を配置している。ノッチリング４０３は、ノッチリング２０３と同様な形状であり、回り止め突起４１４とノッチ突起４１５（突起）を有し、後継手４０１の回動ベース部４０７の側面に設けた回り止め溝４１６に挿入してある。
【００３７】
前継手４０２の回動部４０８には、ノッチリング４０３の外周のノッチ突起４１５を押し込みノッチリング４０３をたわませる略円形穴４１７があり、この円形穴４１７にはノッチリング４０３の外周のノッチ突起２１４を押し込まない凹み部４１８が所定の角度に形成されている。また、回動部４０８には爪穴４１９が形成されており、蓋体４０４は爪４２０を嵌め合わせ固定されている。
【００３８】
これにより後継手４０１と前継手４０２は、回動ベース部４０７と回動部４０８の中心軸を軸として回動可能で、ノッチリング４０３はノッチ突起４１５が略円形穴４１７の凹み部４１８内に収まっていて、前継手４０２の回動に際し、ノッチ突起４１５は凹み部４１８を乗り上げてリングの半径方向にたわみ、略円形穴４１７に当接しながら回動先の凹み部４１８へ到達し、たわみが解放されて凹み部４１８に収まり、この収まりによって回動角度位置はある程度固定されるのである。
【００３９】
本実施例においては、ノッチ突起４１５の個数は２個で、ノッチする箇所は２箇所であるが、本構成に限定されるものではない。ノッチリング４０３の設置については、本実施例とは逆にノッチリング４０３を挿入する溝４１６を前継手４０２に、ノッチリング４０３をたわませる略円形穴４１７を後継手４０１に形成してもよい。また、ノッチリング４０３は、後継手４０１と回動カバー４０５が当接する側にあってもよく、さらに、両側に設けて２個使いとすれば、それぞれのノッチリングに掛かるたわみ力を分散できて、信頼性を向上することができる。ノッチ感（クリック感）を発生させる方法は、本事例の方法に限定されるものではなく、例えばリングの代わりにコイルバネを、ノッチ突起の代わりに鋼球を使用すれば、同様の効果を得られるのである。ただし、このような構造であるため、後継手４０１と前継手４０２との回動範囲は、３６０度ではなく、所定の範囲に限定される。  回動軸体４２４の左右側面には、軸突起４２６と軸支し前継手４０２と連結する連結穴４２３と、摺動突起４２８を固定し前継手４０２の位置決めをする摺動穴４２９を形成している。摺動穴４２９は、連結穴４２３よりも上側に形成され、側面のそれぞれに２個づつ形成される。軸突起４２７と連結穴４２３にて形成される連結部４３２を軸に、先端部に向かって前継手４０２の上面方向に回動することができ、一方の摺動穴４２９に収まっていた摺動突起４２８は、一方の摺動穴４２９を乗り上げて回動軸体４２４の側面を外側にたわませながら当接し、回動先の他方の摺動穴４２９へ収まることで、前継手４０２に対する回動軸体４２４の回動角度位置は固定されるのである。吸口形成部４２６は、回動軸体４２４に対して３６０度回動可能である。そして、図１９（Ａ）（Ｂ）に示すように、後継手４０１または前継手４０２の軸方向に対して、吸口形成部４２６の長手方向が略９０度になった状態で回動接続部４００を上側から見ると、回動接続部４００は略Ｔ字形状となる。図１９（Ｅ）（Ｆ）に示すように、後継手４０１または前継手４０２の軸方向に対して、吸口形成部４２６の長手方向が略一致した状態で回動接続部４００を上側から見ると、回動接続部４００は略Ｉ字形状となる。特許文献４や非特許文献１と同様に、吸込具１００を延長管１３の側面に取り付けて収納する際には、回動接続部４００は略Ｉ字形状とするのが好ましい。
【００４０】
図１７に示すように、吸口形成部４２６の吸口（開口）の内面は、吸口形成部４２６の長手方向の端部から中央部に向かって傾斜しており、それに伴って、吸口形成部４２６の吸口（開口）の反対側の外面（上面）も、吸口形成部４２６の長手方向の端部から中央部に向かって傾斜しており、横断面では台形をしている。つまり、吸口形成部４２６の長手方向を横から見ると、左右対称である。尚、吸口形成部４２６の短手方向を横から見ても、左右対称である。このように、吸口形成部４２６の吸口（開口）の内面が傾斜しているため、吸口形成部４２６の吸口（開口）から通気穴４３０へ向かう空気の流れの乱れが少なくなる。そして、吸口形成部４２６の上面の吸口形成部４２６の長手方向の中央部かつ吸口形成部４２６の短手方向の中央部に、回動突起４２５が形成される。回動突起４２５の内側に通気穴４３０が形成され、通気可能である。通気穴４３０は略円形状であり、回動突起４２５はその通気穴４３０の周囲に複数形成される。複数の回動突起４２５が形成された円の中心が、回動軸体４２４に対する吸口形成部４２６の回動軸心となる。尚、複数の回動突起４２５が形成された円の中心は、通気穴４３０の中心、回動穴４３３の中心とも一致する。図１８（Ｂ）中の一点破線は、吸口形成部４２６の長手方向の中心線と、吸口形成部４２６の短手方向の中心線を示す。回動軸体４２４に対する吸口形成部４２６の回動軸心は、吸口形成部４２６の長手方向の中央でかつ吸口形成部４２６の短手方向の中央、つまり図１８（Ｂ）に示すように吸口形成部４２６の長手方向の中心線と吸口形成部４２６の短手方向の中心線の交点に位置するのが好ましい。つまり、回動軸体４２４に対する吸口形成部４２６の回動軸心から吸口形成部４２６の長手方向の両端面（端部）への距離は等しくなり、回動軸体４２４に対する吸口形成部４２６の回動軸心から吸口形成部４２６の短手方向の両端面（端部）への距離は等しくなる。またこの場合は、後継手４０１の軸心上または前継手４０２の軸心上または接続管３００の軸心上に、回動軸体４２４に対する吸口形成部４２６の回動軸心が存在することとなる。これによって、使用者が、吸込具１００を手前と奥の往復操作および左右の往復操作の際に、回動接続部４００の動きが安定し、それ故、操作性が向上する。
【００４１】
図１７中の一点破線は、後継手４０１の筒形状部４０６の軸心、前継手４０１の筒形状部４０９の軸心を示す。前継手４０１は、後継手４０１に対して、上側に角度αまで回動可能である。角度αは、５度から１０度程度である。筒形状部４０９の上面と下面とは、略平行であるため、図１７に示すように、前継手４０１が後継手４０１に対して上側に角度αである状態では、筒形状部４０９の上面の形成方向および下面の形成方向も、後継手４０１の軸方向に対して上側に角度αをなす方向となる。回動接続部４００を略Ｉ字形状である状態において、吸口形成部４２６の上面と筒形状部４０９の下面とが対向し、吸口形成部４２６の上面と筒形状部４０９の下面の間隔は、０以上５ｍｍ以下であるのが好ましい。吸口形成部４２６の上面と筒形状部４０９の下面とが略平行であるのが好ましい。この場合は、吸口形成部４２６の上面は、後継手４０１の軸方向に対して上側に角度αをなす方向となる。よって、回動軸体４２４は、筒形状部４０９に対して、軸突起４２７を軸として、吸口形成部４２６の上面が後継手４０１の軸方向に対して上側に角度αをなす方向となるまで、回動するのが好ましい。上記したように、筒形状部４０９に対する回動軸体４２４の回動角度は、連結穴４２３と摺動穴４２９との相互位置関係によって定めることができる。そして、吸口形成部４２６の吸口面と筒形状部４０９の軸方向とが略平行となる場合には、吸口形成部４２６の上面と吸口形成部４２６の吸口面とのなす角度が、角度αとなる。さらに、図１７に示すように、吸口形成部４２６の回動軸体４２４との連結部（通気穴４３０の中心）つまり吸口形成部４２６の長手方向の中心から、吸口形成部４２６の長手方向の端部（端面）までの長さ、つまり吸口形成部４２６の長手方向の長さの１／２は、筒形状部４０９の軸方向の長さ、または筒形状部４０９の吸口形成部４２６との連結部の回動軸（回動穴４３３の中心）から筒形状部４０９の回動部４０８側端部（端面）までの長さ、または前継手４０２の吸口形成部４２６との連結部の回動軸（回動穴４３３の中心）から前継手４０２の後継手４０１との連結部の回動軸（回動部４０８の軸心）との長さと略同等または短いのが好ましい。これによって、連通軸方向から吸口形成部４２６の吸口を近づけることができ、吸口形成部４２６を後方へ配置することで回動接続部４００さらには吸込具１００全長を短くできるため、かさばらずに収納することができ、収納性を向上できる。後継手４０１と前継手４０２間で軸方向に回動するだけでなく、前継手４０２と回動軸体４２４間で軸方向に回動し、さらに、回動軸体４２４と吸口形成部４２６間で、軸方向とは異なる方向に回動するため、収納性が向上する。また、前継手４０１よりも先端側の重心が、前継手４０１の軸心上に近くなるため、収納時の安定性も増す。
【００４２】
図１８（Ｂ）に示すように、吸口形成部４２６には、回動軸体４２４の底面にある回動穴４３３に挿入し吸口形成部４２６を連結する回動突起４２５が設けられ、回動軸方向に回動することができる。回動突起４２５には、ノッチリング２０３とノッチリング４０３と同様に回動角度位置を知らしめるノッチ感を発生させるノッチ突起４３５が形成され、回動軸体４２４の底面の凹み部４３４に収まっている。吸口形成部４２６の回動に際し、ノッチ突起４３５は凹み部４３４を乗り上げて回動穴４３３の半径方向にたわみ、略円形壁４３６に当接しながら略円形壁４３６の終端に到達したわみが解放される。凹み部４３４には次のノッチ突起４３５が収まり、この収まりによって回動角度位置はある程度固定されるのである。また、ノッチ突起４３５は抜け止め用の爪にもなっており、吸口形成部４２６が回動軸体４２４から抜けないようになっている。
【００４３】
図１９（Ａ）に、回動接続部４００を略Ｔ字形状とした時の吸込具１００の上面図を示し、図１９（Ｂ）に、回動接続部４００を略Ｔ字形状とした時の回動接続部４００の上面図を示し、図１９（Ｃ）に、回動接続部４００を略Ｔ字形状とした時の吸込具１００の上断面図を示し、図１９（Ｄ）に、回動接続部４００を略Ｔ字形状とした時の回動接続部４００の上断面図を示し、図１９（Ｅ）に、回動接続部４００を略Ｉ字形状とした時の吸込具１００の上面図を示し、図１９（Ｆ）に、回動接続部４００を略Ｉ字形状とした時の回動接続部４００の上面図を示し、図１９（Ｇ）に、回動接続部４００を略Ｉ字形状とした時の吸込具１００の上断面図を示し、図１９（Ｈ）に、回動接続部４００を略Ｉ字形状とした時の回動接続部４００の上断面図を示す。図１９（Ｅ）（Ｆ）（Ｇ）（Ｈ）に示すように、吸口形成部４２６の短手方向の幅を、回動ベース部４０７や回動部４０８などで形成される連結部４３１の幅（軸方向に垂直な方向の幅）と略同等または短くする。また、吸口形成部４２６の短手方向の幅を、後継手４０１の幅または前継手４０２の幅と略同等または短くしてもよい。また、吸口形成部４２６の短手方向の幅を、接続管３００の最大幅と略同等または短くしてもよい。尚、接続管３００の最大幅は、接続部３０５に形成される。これによって、吸込具１００を延長管１３の側面に係合して収納する際に、吸口形成部４２６が出っ張って邪魔にならないため、収納性が向上する。さらに、使用者が、吸口形成部４２６の長手方向を、後継手４０１および前継手４０２の軸方向に沿った方向になるように、前継手４０２に対して吸口形成部４２６を回動して、吸口形成部４２６を略Ｉ字形状とすれば、奥まった狭いすき間を掃除することもできる。また、使用者が、吸口形成部４２６の長手方向が、後継手４０１および前継手４０２の軸方向と垂直な方向になるように、前継手４０２に対して吸口形成部４２６を回動して、吸口形成部４２６を略Ｔ字形状に回動させれば、掃除面を幅広にとることができ、使用者の前後方向（手前と奥の往復方向）の掃除面を多く取れるため前後させる回数を減らすことができ、清掃効率を向上することができる。さらに、吸口形成部４２６の長手方向の幅は吸口体１４の長手方向よりも短いため、吸口体１４の入らないすき間を掃除することができる。また、略Ｉ字形状よりも左右方向への摩擦面が少なくなることで抵抗が減り、使用者の手元への負担を減らすことができる。
【００４４】
後継手４０１の筒形状部４０６には、接続管３００のブレード体３０２の先端部にある抜け止め突起３０６を受ける穴部４２１がある。筒形状部４０６にブレード体３０２の先端部（接続部）が挿入され、抜け止め突起３０６が抜け止め突起３０６にはめ込まれることによって（ブレード体３０２の先端部の外側表面が筒形状部４０６の内側表面に当接することによって）、接続管３００と回動接続部４００とが接続される。これによって、使用者は、接続管３００と回動接続部４００とを容易に接続、分離することができる。
【００４５】
図２０に、吸口形成部４２６の分離時斜視図を示す。吸口形成部４２６の吸口面（開口面）には、本実施例のように、切り口部の端面に刷毛４２２を植毛することもでき、この刷毛４２２により、掃き、拭きといった掃除効果も得られる。刷毛４２２の形成方向は、吸口形成部４２６の吸口面の法線方向であってもよいし、吸口形成部４２６の吸口面の法線方向よりも外側に拡がっていてもよい。また、吸口形成部４２６を刷毛台４３８と吸口部４３７とに分割可能な構造とすることもできる。つまり、刷毛台４３８に複数の係合爪４３９を設け、係合爪４３９を吸口部４３７にはめ込むことによって、係合爪４３９を吸口部４３７に取り付けることができる。これによって、刷毛４２２の劣化、抜けなどあった際は刷毛台４３８だけを取替えることでよく、刷毛部のメンテナンス性をあげることができる。
【００４６】
図２１に、先端側の回動接続部４００を手元操作部１２に接続した時の外観斜視図を示す。回動接続部４００の筒形状部４０６は、外側表面の上側と下側が手元操作部１２の接続部または延長管１３の内側表面に対応した形状、つまりＲ形状を有する係合部４４１を備える。係合部４４１の外側表面の上側と下側は、軸方向で回動ベース部４０７へ向かうに従って徐々に拡がっているのが好ましい。筒形状部４０６の係合部４４１よりも開口側の外形（外側表面の直径）は、係合部４４１の外形（外側表面の直径）よりも小さい。そして、回動接続部４００の筒形状部４０６が、後継手２０１の筒形状部２０５と同様に手元操作部１２の接続部または延長管１３の内側に挿入され、係合部４４１が手元操作部１２の接続部または延長管１３の内側表面に当接し、そして、手元操作部１２または延長管１３に設けられた着脱用クランプの抜け止め用の爪（図示せず）、筒形状部２０５に設けられた凹み部４４０にはめ込まれる。これによって、回動接続部４００と手元操作部１２または延長管１３とが接続される。接続管３００に接続することなく回動接続部４００を吸込具として使用することができるため、軽量で負担なく、机や高さの低い棚など身近な場所を容易に掃除することができる。
【００４７】
図９は接続管３００に回動接続部２００及び回動接続部４００を接続した状態を示す図である。図９では、回動接続部２００が接続管３００に接続された状態で接続管３００を下方に向けるように回動しており、さらに回動接続部４００が接続管３００に接続された状態で回動接続部４００の先端部が下方に向くように回動している。接続管３００の軸心上に対して吸口形成部４２６が下側にくる位置まで回動している。図９に示すように、手元側の回動接続部２００と中間の接続管３００と先端側の回動接続部４００はそれぞれの接続部で接続され、抜け止め突起により容易に外れなくなっている。手元側の回動接続部２００と先端側の回動接続部４００は、それぞれ回動角４５°回動させ、ノッチにより回動位置がある程度固定される。手元操作部１２に延長管１２の一端を接続し、延長管１２の他端に回動接続部２００を接続し、中間の接続管３００を最長に延長すると、図１０に示すように、例えば家具の上面や一般的な冷蔵庫の上面を掃除することができる。手元操作部１２は家具９００より低い位置にあり、これに接続される延長管１３の一端も家具９００より低い位置にあるが、延長管１３は他端（先端）は家具９００の上方に位置している。延長管１３は他端側が上を向くように傾斜した状態となっている。延長管１３の他端に接続される回動接続部２００は、これに接続される接続管３００が家具９００の上面に沿うように、下方に向けて回動している。この回動により、接続管３００は家具９００の上面を沿うような状態となる。さらに接続管３００に接続される回動接続部４００は、前継手４０２の先端部が家具９００の上面に向くように下方に向けて回動し、前継手４０２の先端部に設けられた刷毛４２２が家具９００の上面に接触する。これにより、家具の上面や一般的な冷蔵庫の上面を掃除することが可能となる。本実施例の場合、高さ寸法が１８００ｍｍ、奥行き寸法が６００ｍｍあるような家具９００においても、手元操作部１２を１２００ｍｍ程度の高さまで持ち上げると、家具９００の上面の奥まで容易に掃除を行うことができる。
【００４８】
本実施例においては、手元側の回動接続部２００と先端側の回動接続部４００といったように回動接続部を複数設けたことにより、手元操作部１２の高さ位置は高所の被掃除面よりも低い位置にあり、使用者の腕に掛かる負担は小さいのである。また、回動接続部間を伸縮可能としているので、奥行き寸法が短い高所にも対応するのである。ノッチは、ロックに比べロック解除の操作が不要であり、また、無理に力が掛かった場合、ロックではロック箇所が破損する恐れがあるのに対し、ノッチでは回動することで力が集中せず逃げるので破損の恐れは少ない。
【００４９】
ここで、掃除機用の吸込具１００は、手元操作部１２の接続部にも接続可能であるから、延長管１３を接続せずに使用することもできる。また、接続方法は抜け止め突起による方法に限らず、ねじ接続やクランプ接続で構成して、強固な接続としてもよい。
【００５０】
また、図１１に示すように、手元側の回動接続部２００と中間の接続管３００と先端側の回動接続部４００は、分離可能としてもよい。これらは、抜け止め突起で容易に外れないようになってはいるものの接続しないで使用することは可能であり、例えば先端側の回動接続部４００を接続しないようにすれば、先端側の回動接続部４００の幅では入らなかった狭い隙間にも到達することが可能となるし、また、手元側の回動接続部２００に短い吸込み口（図示せず）を接続すれば身近な所の掃除に適するのである。
【００５１】
回動接続部４００は、接続管３００に接続された状態で刷毛４２２が下方側を向くような状態（図１，図９，図１０，図１１）の他に、図１２に示すように、接続管３００に接続された状態で刷毛４２２が上方側を向くような状態となるように、先端側の回動接続部４００を上下（左右）逆にして取り付けることができる。すなわち、回動接続部４００の回動方向が接続管３００に対して異なる方向に回動するように、回動接続部４００が接続管３００に着脱自在となっている。回動接続部４００を接続管３００に対して上下方向（左右方向）を逆に接続することにより、接続管３００に対する回動接続部４００の回動方向を異ならせることができ、掃除できる範囲が広がる。
【００５２】
本実施例では、接続管３００に接続された状態で刷毛４２２が上方側を向くようにすると、図１３に示すように、例えば天井８００など、掃除面が真下を向いた箇所も掃除することができ、しかも回動接続部間を伸縮可能としているので、家具９００などが邪魔をして延長管１３などが届かない、奥行きのある狭い空間の天井面でも掃除することができる。
【００５３】
手元操作部１２は天井８００より低い位置にあり、これに接続される延長管１３の一端も天井８００より低い位置にあるが、延長管１３は他端（先端）は天井８００の近くに位置している。延長管１３は他端側が上を向くように傾斜した状態となっている。延長管１３の他端に接続される回動接続部２００は、これに接続される接続管３００が天井８００に沿うように、下方に向けて回動している。この回動により、接続管３００は天井８００の下面を沿うような状態となる。さらに接続管３００に接続される回動接続部４００は、前継手４０２の先端部が天井８００を向くように上方に向けて回動し、前継手４０２の先端部に設けられた刷毛４２２が天井８００に接触する。これにより、天井８００を掃除することが可能となる。しかも家具９００の上方に位置する天井８００であっても、家具９００と干渉することなく、家具９００との接触を回避しつつ天井８００の掃除を行うことができる。本実施例の場合、高さ寸法が２２００ｍｍの天井８００においても、手元操作部１２を１４００ｍｍ程度の高さまで持ち上げると、天井８００の清掃を容易に掃除を行うことができる。
【００５４】
また、本実施例では、図１４に示すように机１０００の下など、床面との空間が狭く、延長管１３の入らない奥行きのある隙間でも掃除することができる。この場合、接続管３００に接続される回動接続部２００を、図９，図１０，図１３に示す状態とは上下逆に回動するように取り付ける。図９，図１０，図１３においては、延長管１３に接続された回動接続部２００が、延長管１３に対して接続管３００を下方に回動するように接続している。図１４では、これとは逆に延長管１３に接続された回動接続部２００が、延長管１３に対して接続管３００を上方に回動するよう接続にしている。
【００５５】
手元操作部１２は机１０００より高い位置にあり、これに接続される延長管１３の一端も机１０００より高い位置にあるが、延長管１３は他端（先端）は下方の床面１２００近くに位置している。延長管１３は他端側が下を向くように傾斜した状態となっている。延長管１３の他端に接続される回動接続部２００は、これに接続される接続管３００が床面１２００に沿うように、延長管１３の軸方向に対して上方に向けて回動している。この回動により、接続管３００は床面１２００を沿うような状態となる。さらに接続管３００に接続される回動接続部４００は、前継手４０２の先端部が床面１２００を向くように下方に向けて回動し、前継手４０２の先端部に設けられた刷毛４２２が床面１２００に接触する。これにより、床面１２００を掃除することが可能となる。
【００５６】
また、図１２に示すように後継手２０１の筒形状部２０５、または回動接続部４００の筒形状部４０６を凹み部４４０で受ける形状ではなく、テーパ嵌合とすれば、抜け止め用の爪がない延長管や操作ハンドルにも接続することができ、専用の接続部品を必要としないことが可能である。
【００５７】
テーパ嵌合とした場合には、吸込具１００、または回動接続部４００を手元操作部１２、または延長管１３の他端側に上下逆に取り付けすることができる。この場合でも、上述した本実施例の効果を得ることができる。
【００５８】
以上のように本実施例によれば吸込具１００に回動連結部を複数設け、回動連結部の間に設けた接続管に対して回動連結部の少なくとも一方を接続管に対して上下逆に取り付け可能にしたので、家具などが邪魔をして延長管などが届かない、奥行きのある狭い空間の天井面でも掃除することができる。また、回動連結部（関節）間を伸縮自在としたので、さまざまな高所の奥行きに対応可能である。さらに、吸込具１００は手元操作部１２、または延長管１３の他端側に上下逆に取り付け可能にしたので、机の下など、床面との空間が狭く、延長管の入らない奥行きのある隙間でも掃除することができる。さらに、吸込具１００の先端の吸口形成部４２６を直接、手元操作部、または延長管の他端側に取り付け可能であり、略Ｔ字形状とすることで前後方向への掃除面を多くとることがで、左右方向へは摩擦面を減らすことができるため手元側への負担を減らすことができる。
【符号の説明】
【００５９】
１０  掃除機本体
１１  ホース
１２  手元操作部
１３  延長管
１４，１５  吸口体
１００  吸込具
２００，４００  回動接続部
３００  接続管
【図１】
2010252999.tif 000003
【図２】
2010252999.tif 000004
【図３】
2010252999.tif 000005
【図４】
2010252999.tif 000006
【図５】
2010252999.tif 000007
【図６】
2010252999.tif 000008
【図７】
2010252999.tif 000009
【図８】
2010252999.tif 000010
【図９】
2010252999.tif 000011
【図１０】
2010252999.tif 000012
【図１１】
2010252999.tif 000013
【図１２】
2010252999.tif 000014
【図１３】
2010252999.tif 000015
【図１４】
2010252999.tif 000016
【図１５】
2010252999.tif 000017
【図１６】
2010252999.tif 000018
【図１７】
2010252999.tif 000019
【図１８】
2010252999.tif 000020
【図１９】
2010252999.tif 000021
【図２０】
2010252999.tif 000022
【図２１】
2010252999.tif 000023